(57)【要約】  【課題】  燃焼室内の広範囲で安定した燃焼を行うことができる燃焼装置を提供する。  【解決手段】  固形燃料を燃焼させる燃焼室５０と、燃焼室５０の上部後側に接続されて燃焼ガスを排気する排気筒２０とを備える燃焼装置１であって、排気筒２０の下端部から燃焼室５０内を下方に延びる一対のガイド板２３，２３と、一対のガイド板２３，２３の下部前側から下方に延びる邪魔板２４とを備え、一対のガイド板２３，２３は、排気筒２４を挟んだ左右両側に互いに対向するように配置されており、邪魔板２４は、一対のガイド板２３，２３の間を跨ぐように配置されている。【選択図】  図１
2020118303.tif 000002
【特許請求の範囲】
【請求項１】
固形燃料を燃焼させる燃焼室と、前記燃焼室の上部後側に接続されて燃焼ガスを排気する排気筒とを備える燃焼装置であって、
前記排気筒の下端部から前記燃焼室内を下方に延びる一対のガイド板と、一対の前記ガイド板の下部前側から下方に延びる邪魔板とを備え、
一対の前記ガイド板は、前記排気筒を挟んだ左右両側に互いに対向するように配置されており、
前記邪魔板は、一対の前記ガイド板の間を跨ぐように配置されている燃焼装置。
【請求項２】
前記燃焼室の前側には、前記燃焼室内を視認可能な透明部を有する開閉扉が設けられており、
前記燃焼室の側部には、前記透明部に沿って外気を導入するように吸気部が形成されている請求項１に記載の燃焼装置。
【請求項３】
前記側部は、それぞれの間に断熱用の空気層を形成する内壁および外壁を備え、
前記吸気部は、前記内壁に形成されており、
前記外壁の前記吸気部に対向する位置には、前記吸気部の開度を調整可能なスライド式のシャッターを備える請求項２に記載の燃焼装置。
【発明の詳細な説明】
【技術分野】
【０００１】
本発明は、燃焼装置に関する。
【背景技術】
【０００２】
薪などの固形燃料を燃焼させる装置として、例えば、特許文献１に開示された薪ストーブが知られている。この薪ストーブは、前側に薪投入用扉を備える燃焼室の上部後方に二次燃焼筒が接続された、いわゆるロケットストーブである。燃焼室の内部には二次燃焼用空気誘導板が設けられており、二次燃焼用空気誘導板によって空気を二次燃焼筒に案内し、可燃ガスと混合させて煙の発生を防止するように構成されている。
【先行技術文献】
【特許文献】
【０００３】
【特許文献１】特開２０１４−１１５０６８号公報
【発明の概要】
【発明が解決しようとする課題】
【０００４】
上記従来の薪ストーブは、二次燃焼用空気誘導板を備えることによって、二次燃焼筒内での燃焼が促されるように構成されているため、燃焼室内における燃焼範囲は狭くなり易く、燃焼効率を高める上で更に改良の余地があった。
【０００５】
そこで、本発明は、燃焼室内の広範囲で安定した燃焼を行うことができる燃焼装置の提供を目的とする。
【課題を解決するための手段】
【０００６】
本発明の前記目的は、固形燃料を燃焼させる燃焼室と、前記燃焼室の上部後側に接続されて燃焼ガスを排気する排気筒とを備える燃焼装置であって、前記排気筒の下端部から前記燃焼室内を下方に延びる一対のガイド板と、一対の前記ガイド板の下部前側から下方に延びる邪魔板とを備え、一対の前記ガイド板は、前記排気筒を挟んだ左右両側に互いに対向するように配置されており、前記邪魔板は、一対の前記ガイド板の間を跨ぐように配置されている燃焼装置により達成される。
【０００７】
この燃焼装置において、前記燃焼室の前側には、前記燃焼室内を視認可能な透明部を有する開閉扉が設けられていることが好ましく、前記燃焼室の側部には、前記透明部に沿って外気を導入するように吸気部が形成されていることが好ましい。
【０００８】
更に、前記側部は、それぞれの間に断熱用の空気層を形成する内壁および外壁を備えることが好ましく、前記吸気部は、前記内壁に形成されており、前記外壁の前記吸気部に対向する位置には、前記吸気部の開度を調整可能なスライド式のシャッターを備えることが好ましい。
【発明の効果】
【０００９】
本発明によれば、燃焼室内の広範囲で安定した燃焼を行うことができる燃焼装置を提供することができる。
【図面の簡単な説明】
【００１０】
【図１】本発明の一実施形態に係る燃焼装置の斜視図である。
【図２】図１に示す燃焼装置の正面図である。
【図３】図２のＡ−Ａ断面図である。
【図４】図１に示す燃焼装置の使用状態を示す要部拡大正面図である。
【図５】図１に示す燃焼装置の他の使用状態を示す要部拡大側面図である。
【発明を実施するための形態】
【００１１】
以下、本発明の実施の形態について、添付図面を参照して説明する。図１は、本発明の一実施形態に係る燃焼装置の斜視図である。図１に示すように、燃焼装置１は、本体１０と、本体１０に接続される排気筒２０とを備えている。本体１０および排気筒２０は、例えばホーロー加工した金属板により形成することで、耐熱性を高めることができる。
【００１２】
本体１０は、開口する前側に開閉扉３０を備える筐体状に形成されており、内部に燃焼室５０が形成されている。本体１０の上部１１には開口が形成されており、この開口に排気筒２０を差し込むことで、燃焼室５０の上部後側に排気筒２０が接続される。本体１０の下部には複数の脚部４０，４０が回動自在に取り付けられており、脚部４０，４０を畳んだ状態から起立させて本体１０を支持することができる。
【００１３】
排気筒２０は、それぞれの断面が正方形状に形成された内周壁２１および外周壁２２を備えており、内周壁２１および外周壁２２との間に断熱用の空気層が形成される。排気筒２０は、運搬時や保管時などにおいては、本体１０から取り外して複数に分割することができる。
【００１４】
図２は、図１に示す燃焼装置の正面図である。図２に示すように、開閉扉３０は、矩形状のフレーム３１内に耐熱ガラス等からなる平板状の透明部３２を備えており、本体１０の開口を覆うようにヒンジ３３，３３を介して開閉自在に取り付けられて、ロックレバー３４の操作により本体１０の開口を閉じた状態に保持することができる。本実施形態の開閉扉３０は、燃焼室５０内の視認性を高めるために透明部３２が略全体に形成されているが、一部のみに透明部を形成してもよく、あるいは、透明部を備えない構成にすることも可能である。
【００１５】
図３は、図２のＡ−Ａ断面図である。また、図４は、図２に示す本体１０の開閉扉３０が開いた状態を示す要部正面図である。図３および図４に示すように、本体１０は、燃焼室５０を区画する上部１１、左右の側部１２，１３、後部１４および下部１５が、内壁１１ａ〜１５ａおよび外壁１１ｂ〜１５ｂを備える二重構造となっており、内壁１１ａ〜１５ａと外壁１１ｂ〜１５ｂとの間に断熱用の空気層が形成されている。
【００１６】
左右の側部１２，１３は、内壁１２ａ，１３ａの下部前側にそれぞれ多数の通気孔からなる吸気部１６，１６が形成されると共に、外壁１２ｂ，１３ｂにおいて吸気部１６，１６に対向する位置には、外気導入口１７を開閉するシャッター１８が設けられている。シャッター１８は、外壁１２ｂ，１３ｂに沿って、図５に矢印で示す前後方向にスライド可能に設けられており、摘み部１８ａを把持してスライドさせることにより、吸気部１６の開度を全閉状態から全開状態まで変化させることができる。吸気部１６の開口面積は、排気筒２０の開口面積と同程度であることが好ましい。
【００１７】
図３および図４に示すように、燃焼室５０の後部には一対のガイド板２３，２３および邪魔板２４が設けられている。一対のガイド板２３，２３は、燃焼室５０の上部後側において互いに平行となるように、本体１０の後部内壁１４ａに固定されており、排気筒２０を燃焼室５０に接続したときに、排気筒２０の下端部が一対のガイド板２３，２３の間に挿入される。邪魔板２４は、上端部が一対のガイド板２３，２３の下部前側に固定されており、下端部が本体１０の下部内壁１５ａに固定されている。
【００１８】
上記の構成を備える燃焼装置１は、薪、木片、炭、ペレット等の固形燃料を燃焼室５０内に適量投入して着火し、開閉扉３０を閉じて左右のシャッター１８，１８を開くことにより、左右の吸気部１６，１６から燃焼室５０内に外気が取り込まれて固形燃料を燃焼させることができる。燃焼室５０で生成された燃焼ガスは、排気筒２０を介して外部に排出される。
【００１９】
吸気部１６から燃焼室５０に取り込まれる外気は、燃焼室５０の前側において、左右下部から中央上部に向けて流れるため、図３に矢印Ｆ１で示すように、開閉扉３０の透明部３２に沿って外気が導入される。したがって、透明部３２に煤などが付着するのを抑制して燃焼室５０内の視認性を長時間良好に維持することができ、燃焼室５０内の炎の様子などを楽しむことができる。
【００２０】
燃焼室５０内には、排気筒２０の下端部から燃焼室５０内を下方に延びる一対のガイド板２３，２３と、一対のガイド板２３，２３の下部前側から下方に延びる邪魔板２４とが設けられている。一対のガイド板２３，２３は、排気筒２０を挟んだ左右両側に互いに対向するように配置されており、邪魔板２４は、一対のガイド板２３，２３の間を跨ぐように配置されている。
【００２１】
燃焼室５０がこのような構成を備えることで、燃焼室５０内のガスは、図３および図４に示すように、一対のガイド板２３，２３の間に形成される第１の連通部２５、および、邪魔板２４の左右両側に形成される第２の連通部２６，２６を通過して、排気筒２０に導かれる。こうして、燃焼室５０のガス流れを矢印Ｆ２，Ｆ３で示すように分散させて、燃焼室５０内の広範囲で固形燃料を燃焼させることができるので、燃焼効率を高めることができると共に、燃焼室５０の全体に炎が拡がるため演出効果を高めることができる。燃焼室５０内の燃焼状態は、シャッター１８の操作により適宜調整することができる。
【００２２】
本発明の燃焼装置の用途は特に限定されないが、例えば、アウトドアでの暖房用として好適に使用することができる。あるいは、燃焼室５０の内壁に設けられた受具１９（図３参照）に網板などを取り付けることで、調理用として使用することもできる。
【符号の説明】
【００２３】
１  燃焼装置
１０  本体
１２，１３  側部
１２ａ，１３ａ  内壁
１２ｂ，１３ｂ  外壁
１６  吸気部
１８  シャッター
２０  排気筒
２３  ガイド板
２４  邪魔板
３０  開閉扉
３２  透明部
５０  燃焼室
【図１】
2020118303.tif 000003
【図２】
2020118303.tif 000004
【図３】
2020118303.tif 000005
【図４】
2020118303.tif 000006
【図５】
2020118303.tif 000007